(57)【特許請求の範囲】
【請求項１】
電源回路および情報の授受を行う情報口を具備し、壁面に矩形状に開口した施工孔を通して器体の後部が壁内に収められる形で壁に固定される本体モジュールと、本体モジュールの前面側に着脱可能に覆着され、前記電源回路から電力供給を受ける情報入力手段および情報出力手段の少なくとも一方を具備する露出パネルとを備え、本体モジュールは、器体における前面の対向する各辺から互いに離れる向きにそれぞれ延設され、前記各辺に沿う方向を長手方向とする一対の取付片を有し、それぞれ長手方向における取付片の寸法が所定の単位寸法の整数倍となる複数種類の本体モジュールの中から選択可能であって、取付片のうち壁面に沿う面内で施工孔と重複する部位に形成されたボックス用孔を通して、壁内に埋設された前面開口の埋込ボックスに取付ねじを螺合させることにより固定され、露出パネルは、本体モジュールの取付片に貫設された一対の係止孔に挿通され先端部が本体モジュールの背面側において各係止孔に係止されることで係止孔に係合する一対の係止爪を有し、ボックス用孔は、取付片を長手方向において前記単位寸法で区分したときの各中心位置に形成されており、各係止孔は、取付片の長手方向において少なくとも１個のボックス用孔の両側となる部位にそれぞれ形成されていることを特徴とする情報装置。
【請求項２】
前記本体モジュールの前記器体の前面には、前記露出パネルに設けたパネル側コネクタと接続されるモジュール側コネクタが設けられ、モジュール側コネクタと前記係止孔との位置関係は、前記複数種類の本体モジュールで共通することを特徴とする請求項１記載の情報装置。
【発明の詳細な説明】
【技術分野】
【０００１】
本発明は、壁に取り付けて使用される情報装置に関するものである。
【背景技術】
【０００２】
従来から、この種の情報装置には、たとえば宅外に設置された相手側装置としてのドアホン子器に対して信号線を用いて接続されることによりインターホンシステムを構築し、相手側装置との間で通信可能となるもの（インターホン親機）などがある。なお、インターホン親機として用いる情報装置には、映像表示部を備え、カメラが設けられた相手側装置に接続されることにより、相手側装置のカメラで撮像された映像を表示することができるものもある。
【０００３】
また、近年では、壁面からの器体の突出量を小さく抑え、且つ、一般に普及している埋込型の配線器具との外観上の統一感を出すとともに、取り付けに用いる部材の低コスト化を図るために、周知の埋込型の配線器具と同様、前面開口の埋込ボックスを用いて壁内に器体の後部が埋め込まれた形で取り付けられる情報装置も提案されている（たとえば特許文献１参照）。
【０００４】
ところで、上述の情報装置では、電源回路等の内部回路や映像表示部等の情報出力手段が全て１つの器体に配設されており、そのため、情報装置の機能（たとえば映像表示部の画面サイズなど）を一部でも変更する場合には、情報装置全体を交換する必要がある。特に、情報装置が器体の後部を壁内に埋め込んだ形で取り付けられている場合には、情報装置全体の交換作業は面倒である。
【０００５】
これに対して、電源回路および情報の授受を行う情報口を器体内に具備し埋込ボックスを用いて壁内に器体の後部を収める形で壁に固定され本体モジュールと、本体モジュールの前面側に着脱可能に覆着され、本体モジュールの電源回路から電力供給を受ける情報出力手段を具備する露出パネルとに情報装置を分割し、露出パネルを本体モジュールとは別に交換可能とすることが考えられている。この構成では、本体モジュールを共通としておけば、露出パネルを交換することで情報装置の機能（たとえば映像表示部の画面サイズなど）を容易に変更することができる。
【０００６】
本体モジュールと露出パネルとに分割された情報装置においては、露出パネルの背面に突設された係止爪を本体モジュールの前面に開口する係止孔に挿通し、係止爪の先端部を係止孔の開口周縁に係止させることで、露出パネルを本体モジュールに係着することが考えられる。ここで、露出パネルに係止孔を設け本体モジュールに係止爪を設けることも考えられるが、係止爪が挿通される係止孔を露出パネルに設けると、露出パネル内に係止爪を収容する空間が必要となり、露出パネルの薄型化が難しくなるので、露出パネルの薄型化により壁面からの突出量を小さく抑えるためには、露出パネルに係止爪を設け、本体モジュールに係止孔を設けることが望ましい。
【特許文献１】特開平６−２９１８１８号公報
【発明の開示】
【発明が解決しようとする課題】
【０００７】
ところで、一般的に、埋込型の配線器具を取り付けるに当たっては、左右方向の寸法が異なる複数種類の埋込ボックスが用いられている。たとえば、１連用の取付枠（埋込型の配線器具用に規格化されている１個モジュール寸法の配線器具を幅方向に３個並べて取付可能な取付枠）をＮ個（Ｎは整数）取付可能な寸法に形成された埋込ボックスが提供されている。そこで、本体モジュールにおいても、埋込ボックスの大きさに合わせて、左右方向の寸法が異なる複数種類の本体モジュールを提供することが考えられる。
【０００８】
ただし、本体モジュールの種類によって取付可能な露出パネルが異なると、本体モジュールの種類ごとに各別の露出パネルを用意する必要があり、結果的に、複数種類の本体モジュールに共通の露出パネルを取付可能な場合に比べて、露出パネルの開発、製造にかかるコストが嵩むという問題がある。
【０００９】
また、既存の埋込ボックスを用いて本体モジュールを取り付ける場合には、埋込ボックスの形状によって本体モジュールの器体の外形が制限されるので、本体モジュールの器体内に係止爪の先端部が挿入される構成とすると、本体モジュールの器体内において部品を収納できるスペースが狭くなるという問題もある。
【００１０】
本発明は上記事由に鑑みて為されたものであって、複数種類の本体モジュールに対して共通の露出パネルを取付可能であって、また、本体モジュールの器体内のスペースが狭まることのない情報装置を提供することを目的とする。
【課題を解決するための手段】
【００１１】
請求項１の発明では、電源回路および情報の授受を行う情報口を具備し、壁面に矩形状に開口した施工孔を通して器体の後部が壁内に収められる形で壁に固定される本体モジュールと、本体モジュールの前面側に着脱可能に覆着され、前記電源回路から電力供給を受ける情報入力手段および情報出力手段の少なくとも一方を具備する露出パネルとを備え、本体モジュールは、器体における前面の対向する各辺から互いに離れる向きにそれぞれ延設され、前記各辺に沿う方向を長手方向とする一対の取付片を有し、それぞれ長手方向における取付片の寸法が所定の単位寸法の整数倍となる複数種類の本体モジュールの中から選択可能であって、取付片のうち壁面に沿う面内で施工孔と重複する部位に形成されたボックス用孔を通して、壁内に埋設された前面開口の埋込ボックスに取付ねじを螺合させることにより固定され、露出パネルは、本体モジュールの取付片に貫設された一対の係止孔に挿通され先端部が本体モジュールの背面側において各係止孔に係止されることで係止孔に係合する一対の係止爪を有し、ボックス用孔は、取付片を長手方向において前記単位寸法で区分したときの各中心位置に形成されており、各係止孔は、取付片の長手方向において少なくとも１個のボックス用孔の両側となる部位にそれぞれ形成されていることを特徴とする。
【００１２】
この構成によれば、ボックス用孔は、取付片を長手方向において前記単位寸法で区分したときの各中心位置に形成されており、各係止孔は、取付片の長手方向において少なくとも１個のボックス用孔の両側となる部位にそれぞれ形成されているから、複数種類の本体モジュールにおいて、一対の係止孔の間隔を一律に揃えることができ、当該係止孔に一対の係止爪を係合させて取り付けられる露出パネルの共用が可能となる。したがって、各種の本体モジュールごとに専用の露出パネルを用意する必要はなく、露出パネルの開発、製造にかかるコストを低コストに抑えることができるという利点がある。また、係止孔は、本体モジュールの器体の前面の対向する各辺から延設された取付片に形成されているので、係止孔に挿通された係止爪の先端部が本体モジュールの器体内に挿入されることはなく、したがって、係止孔を本体モジュールの設けながらも、本体モジュールの器体内のスペースが狭まることはない。しかも、ボックス用孔は取付片のうち壁面に沿う面内で施工孔と重複する部位に形成され、各係止孔は取付片の長手方向においてボックス用孔の両側となる部位にそれぞれ形成されているので、係止孔に挿通された係止爪の先端部は、取付片の背面から後方に突出するものの、施工孔内に突出することとなり壁に干渉することはない。
【００１３】
請求項２の発明は、請求項１の発明において、前記本体モジュールの前記器体の前面には、前記露出パネルに設けたパネル側コネクタと接続されるモジュール側コネクタが設けられ、モジュール側コネクタと前記係止孔との位置関係が、前記複数種類の本体モジュールで共通することを特徴とする。
【００１４】
この構成によれば、モジュール側コネクタと係止孔との位置関係が複数種類の本体モジュールで共通するから、モジュール側コネクタとパネル側コネクタとを接続することで本体モジュールと露出パネルとの電気的接続を行う場合にも、複数種類の本体モジュールに対して共通の露出パネルを用いることができる。
【発明の効果】
【００１５】
本発明は、複数種類の本体モジュールにおいて一対の係止孔の間隔を一律に揃えることができるから、複数種類の本体モジュールに対して共通の露出パネルを取付可能となる。また、本体モジュールの器体の前面の対向する各辺から延設された取付片に係止孔が形成されているので、係止孔を本体モジュールの設けながらも、本体モジュールの器体内のスペースが狭まることはないという利点がある。
【発明を実施するための最良の形態】
【００１６】
以下の実施形態では、宅内の壁に取り付けられ、宅外に設置された相手側装置としてのドアホン子器に対して信号線を用いて接続されることによりインターホンシステムを構築し、相手側装置との間で通信（通話）可能となるインターホン親機を情報装置の一例として、本発明の情報装置の構成を説明する。
【００１７】
この情報装置は映像表示部を備えており、来訪者を撮像するカメラ部が設けられた相手側装置に接続されることにより、相手側装置のカメラ部で撮像された映像を表示することができる。なお、相手側装置は、カメラ部の他、操作入力が可能な操作部と、スピーカおよびマイクロフォンを具備し情報装置との通話時に音声の入出力を行う音声入出力部と、音声信号や映像信号の入出力を行う信号処理部と、信号線が接続される端子部とを有している。
【００１８】
（実施形態）
本実施形態の情報装置Ａは、図１（ａ）に示すように、壁に固定される本体モジュールＭと、本体モジュールＭの前面側に着脱可能に覆着される露出パネルＰとを備えている。露出パネルＰが本体モジュールＭに装着された状態で、本体モジュールＭの前面側に設けたモジュール側コネクタ４と露出パネルＰの背面側に設けたパネル側コネクタ５とが接続されることによって、本体モジュールＭと露出パネルＰとは電気的に接続される。以下では、情報装置Ａを壁に取り付けた状態で正面から見た上下左右を上下左右として説明する。
【００１９】
本体モジュールＭは、図１（ｂ）に示すように、前面に矩形状の開口部を有する箱状に形成されたボディ１と、ボディ１の前面に覆着されるカバー２とで構成される器体３を備え、種々の電気部品が実装されている回路基板（図示せず）が器体３内に収納された構成を有する。さらに、本体モジュールＭは、商用電源供給用の電源線が接続される電源端子部６と、信号線が接続される信号端子部７とを器体３の背面側に備えている。ボディ１とカバー２とは、カバー２の上下方向の各端部から後方に突出した結合片８に設けた孔に、ボディ１の上下方向の両端面における前端部に設けた結合爪９をそれぞれ係合させることにより結合される。
【００２０】
この本体モジュールＭは、壁内に設置された埋込型の配線器具用の埋込ボックスＳＢを用いて、器体３の後部が壁内に収められる形で壁に固定される。埋込ボックスＳＢは、前面開口の箱状に形成されており、上下方向に対向する一対の内側面には、それぞれ本体モジュールＭを埋込ボックスＳＢに固定する取付ねじ（図示せず）用のねじ孔２０ａを有した器具固定突起２０が複数個ずつ突設されている。ねじ孔２０ａは埋込ボックスＳＢの開口から露出するように器具固定突起２０の前面側に開口する。ここで、壁面を構成する壁材Ｗにおいて埋込ボックスＳＢに対応する部位には矩形状の施工孔Ｈ１が開設される。施工孔Ｈ１は、埋込ボックスＳＢの開口面より小さく、且つ器具固定突起２０に設けたねじ孔２０ａを全て露出させる大きさに形成される。
【００２１】
本体モジュールＭは、この施工孔Ｈ１を通して前方から埋込ボックスＳＢに取り付けられるのであって、器体３が後部を埋込ボックスＳＢ内に収納可能な形状および寸法に形成されている。また、本実施形態では、本体モジュールＭの器体３は１連用の取付枠（図示せず）を２個まで取付可能な埋込ボックスＳＢに対応する大きさに形成されている。ここでいう１連用の取付枠とは、埋込型の配線器具用に規格化されている１個モジュール寸法の配線器具を幅方向（上下方向）に３個並べて取付可能な取付枠を意味しており、以下では、１連用の取付枠が左右方向に２個連接された寸法を「２連用」、３個連接された寸法を「３連用」と呼ぶ。すなわち、本実施形態の本体モジュールＭは、上下方向に対向する一対の内側面にそれぞれ器具固定突起２０が２個ずつ設けられた２連用の埋込ボックスＳＢに取付可能な２連サイズに設定される。
【００２２】
さらに詳しく説明すると、本体モジュールＭは、カバー２における上下方向の各端面から互いに離れる向きにそれぞれ延設された一対の取付片１０を有する。一対の取付片１０は、カバー２の左右方向の略全長にわたってカバー２と連続一体に形成される。各取付片１０には、埋込型の配線器具を埋込ボックスＳＢに固定する際に用いられる取付枠と同様に、取付ねじを挿通するボックス用孔１１がそれぞれ複数個（ここでは２個）ずつ形成されている。ボックス用孔１１は、取付片１０のうち壁面に沿う面内で施工孔Ｈ１と重複する部位に形成されている。詳しくは後述するが、この取付片１０は露出パネルＰを装着するためにも用いられる。しかして、上記構成の本体モジュールＭは、各取付片１０のボックス用孔１１を通して、取付ねじを埋込ボックスＳＢのねじ孔２０ａにそれぞれ螺合させることにより壁に固定される。このとき、取付片１０は、少なくとも先端部（上側の取付片１０においては上端部、下側の取付片１０においては下端部）の背面を壁面に当接させる。
【００２３】
なお、取付片１０の背面とカバー２の他の部位の前面とが略同一面内に位置する（図４参照）ように、取付片１０はカバー２の他の部位に比較して前方に配置されている。さらに、各取付片１０のうち各ボックス用孔１１の周囲は取付片１０における他の部位よりも厚肉に形成されており、取付ねじを締め付けた際の器体３の変形を抑制するようにボックス用孔１１の周囲を補強している。
【００２４】
露出パネルＰは、本体モジュールＭの前面側を覆うパネル本体１２と、パネル本体１２の周囲に一体に形成された矩形枠状のプレート枠１３とを有する。パネル本体１２は、パネルベース１２ａ（図４参照）の前面側にパネルカバー１２ｂ（図４参照）が結合されることで薄箱状に形成されており、パネルベース１２ａとパネルカバー１２ｂとの間に、種々の電気部品が実装されている回路基板（図示せず）等が収納された構成を有する。プレート枠１３は、後述の各係着孔２１付近にそれぞれ形成された支持片３４を介してパネルベース１２ａの外周縁に連続一体に形成される。この露出パネルＰを本体モジュールＭに装着した状態では、本体モジュールＭの周囲の壁面にプレート枠１３の背面が弾接する。なお、ここでは、露出パネルＰは、上下方向の寸法と左右方向の寸法とのいずれもが本体モジュールＭより大きく設定されている。
【００２５】
パネル本体１２の前壁（パネルカバー１２ｂ）の一部には透明な表示窓１４が配設されており、露出パネルＰは、液晶パネルからなる映像表示部１５（図３参照）をパネル本体１２内における表示窓１４の後方に備えている。さらに、パネル本体１２の前壁には、後方にスピーカ１８ａが配設されるスピーカ取付部１６と、操作部１７（図３参照）としてのスイッチ（図示せず）操作用の操作ハンドル１７ａと、後方にマイクロフォン１８ｂ（図３参照）が配設されるマイク用孔（図示せず）とが配設されている。なお、スピーカ１８ａおよびマイクロフォン１８ｂは、相手側装置との通話時に音声の入出力を行う音声入出力部１８（図３参照）を構成する。
【００２６】
さらに、露出パネルＰは、図２に示すようにプレート枠１３の前面の全域を覆う形でプレート枠１３の前面側に覆着される矩形枠状のプレートカバー１９を有し、プレートカバー１９を係着する係着手段をプレート枠１３に具備している。すなわち、プレート枠１３は、プレートカバー１９の背面の複数箇所に突設された係着爪（図示せず）が挿入されることで当該係着爪が係止する係着孔２１を係着手段として具備している。係着孔２１は、各係着爪に対応する各位置にそれぞれ配置されており、ここでは、プレート枠１３の左右両端部においては上下方向に３箇所ずつ、上端部においては左右方向に２箇所配置されている。プレート枠１３の下端部においては、係着孔２１に代えて係着爪に係止する係着片２２が形成される。なお、本実施形態では、壁面からのパネル本体１２の前面の突出高さを壁面からのプレートカバー１９の突出高さに揃えるように、露出パネルＰの壁面からの突出量を設定している。
【００２７】
ここにおいて、情報装置Ａの内部回路は、本体モジュールＭと露出パネルＰとに分割して設けられている。
【００２８】
すなわち、本体モジュールＭは、図３に示すように、電源スイッチ部ＳＷを介して電源端子部６に接続され内部回路に直流電源を供給する電源回路３９（ＡＣ／ＤＣ電源部３９ａおよびＤＣ／ＤＣ電源部３９ｂ）と、情報の授受を行う情報授受口としての信号端子部７に接続された外部インタフェース部４０とを有している。電源スイッチＳＷは、露出パネルＰの装着時にオンするように本体モジュールＭの前面側に露出して配置される。
【００２９】
一方、露出パネルＰは、図３に示すように、音声入出力部１８や映像表示部１５や操作部１７等、電源回路３９から電力供給を受け情報の入出力を行う手段（情報入力手段および情報出力手段）の他、音声入出力部１８および映像表示部１５と外部インタフェース部４０とに接続され、音声信号や映像信号の入出力を行う信号処理部４２と、操作部１７からの操作入力を受け付けて内部回路の各部の動作を制御する全体制御部４３とを備えている。信号処理部４２は、音声信号を増幅するアンプを含む音声処理部４４と、映像信号を復調する復調回路を含み映像表示部１５に映像を表示する映像伝送処理部４５とを有している。なお、本実施形態では、信号線に音声信号と映像信号とが多重化されて伝送されている。そのため、信号処理部４２には、音声処理部４４および映像伝送処理部４５と外部インタフェース部４０との間に挿入され、多重化された音声信号と映像信号とを分離する多重分離部４２ａが設けられている。
【００３０】
ところで、本体モジュールＭと露出パネルＰとのそれぞれには、互いに係合することで本体モジュールＭに露出パネルＰを装着する取付手段が設けられている。
【００３１】
本体モジュールＭにおいては、図１（ａ）のように下側の取付片１０の前面から突出した鉤片２３と、上側の取付片１０に矩形状に開口する形で形成された係止孔２４とが取付手段として設けられている。鉤片２３は、取付片１０の前面から前方に突出し、先端部が上方に延長されることによりＬ字状に形成されており、左右方向に複数個（ここでは２個）並設されている。
【００３２】
露出パネルＰにおいては、プレート枠１３の下端縁であって各鉤片２３に対応する位置にそれぞれ形成され、鉤片２３の先端部と取付片１０との間に上方から挿入されることで鉤片２３に引っ掛かる引掛片２５と、図１（ｂ）のようにパネル本体１２の背面側であって各係止孔２４に対応する位置からそれぞれ後方に突出する係止爪２６とが取付手段として設けられている。係止爪２６の先端部には、図４に示すように上方に凸となる係止部２７が設けられており、係止部２７は係止爪２６の基端部側ほど係止爪２６からの突出量が大きくなるように上面が傾斜している。
【００３３】
しかして、露出パネルＰの引掛片２５を本体モジュールＭの鉤片２３に引っ掛けた状態で、鉤片２３を支点部として本体モジュールＭの前面の下辺周りで露出パネルＰを回転させるように露出パネルＰの上端部を本体モジュールＭ側に押し付けることにより、露出パネルＰの係止爪２６を本体モジュールＭの係止孔２４に挿入し、取付片１０の背面側において係止部２７を係止孔２４の開口周縁に係止させれば、露出パネルＰが本体モジュールＭに装着されることとなる。
【００３４】
この構成によれば、係止爪２６が挿通される係止孔２４は、本体モジュールＭのうちで、器体３の上下方向の各端面から延設された取付片１０に形成されているので、係止孔２４に挿通された係止爪２６の先端部が本体モジュールＭの器体３内に突出することはない。したがって、露出パネルＰに係止爪２６を設け本体モジュールＭに係止孔２４を設けた構成を採用することで露出パネルＰの薄型化を図りながらも、本体モジュールＭの器体３内のスペースが狭まることはない。
【００３５】
さらに、本実施形態では、係止孔２４は、取付片１０のうち一方（右側）のボックス用孔１１の左右方向の両側となる部位にそれぞれ貫設されている。ここで、ボックス用孔１１は、取付片１０のうち壁面に沿う面内で施工孔Ｈ１と重複する部位に形成されているので、ボックス用孔１１の左右両側に配置された係止孔２４も、図４に示すように壁面に沿う面内で施工孔Ｈ１と重複する部位に位置することとなる。そのため、係止孔２４に挿通された係止爪２６の先端部は、取付片１０の背面から後方に突出するものの、施工孔Ｈ１内に突出することとなり壁に干渉することはない。つまり、係止爪２６において取付片１０の背面から後方に突出した部分はすべて施工孔Ｈ１内に収まることとなり、壁材Ｗに干渉することはない。
【００３６】
また、露出パネルＰには、図４に示すように係止爪２６に連結されており、係止爪２６を係止孔２４に係合させる係合位置と当該係合を解除させる解除位置との間で本体モジュールＭの前面に沿って上下方向に移動可能な操作子２８が設けられている。すなわち、操作子２８が係合位置にある状態では、係止爪２６は図４のように係止部２７が係止孔２４の開口周縁に係止され、この状態から、操作子２８の操作部２８ａを操作して操作部２８を係合位置より下方の解除位置に移動させると、係止爪２６は図４の位置より下方に移動することで係止孔２４の開口周縁との係合が解除される。操作子２８は、パネル本体１２内部（ここでは映像表示部１５の後方）に設けた収容空間２９に、操作部２８ａをパネル本体１２の上端縁から突出させる形で収容されている。ここで、プレート枠１３において操作部２８ａに対応する部位には、図２（ｂ）に示すように操作部２８ａを前方に露出させる形に操作窓３０が開口しており、操作子２８の操作部２８ａは、前記操作窓３０内に配設されることでプレート枠１３の前面側から操作可能となる。
【００３７】
なお、操作子２８を係合位置側にばね付勢するコイルばね３１を露出パネルＰに具備しており、操作子２８は、非操作時にはコイルばね３１のばね力によって係合位置にばね付勢され、コイルばね３１のばね力に抗して操作部２８ａが下方に押操作されることで解除位置に移動する。
【００３８】
ところで、本実施形態の情報装置Ａは、本体モジュールＭが左右方向（横方向）における取付片１０および器体３の寸法が、所定の単位寸法の整数倍となる複数種類の本体モジュールＭの中から選択可能である。ここでは、１連用の埋込ボックスＳＢに取付可能な本体モジュールＭにおける取付片１０の左右方向の寸法を単位寸法とする。つまり、上述したように２連用の埋込ボックスＳＢに取付可能な２連サイズの本体モジュールＭ２の他、図５に示すように１連用の埋込ボックスＳＢに取付可能な１連サイズの本体モジュールＭ１や、Ｎ連用（Ｎは３，４，５，…）の埋込ボックスＳＢに取付可能なＮ連サイズの本体モジュールの中から、使用する本体モジュールＭを任意に選択可能である。
【００３９】
ここにおいて、ボックス用孔１１は、取付片１０を長手方向において前記単位寸法で区分したときの各中心位置に形成される。そのため、本体モジュールＭの種類によって、各取付片１０に形成されるボックス用孔１１の個数が異なる。つまり、たとえば１連用の埋込ボックスＳＢにおいては上下一対のねじ孔２０ａが１組設けられているので、これに対応する本体モジュールＭ１の各取付片１０には左右方向の中央部に１個ずつボックス用孔１１が形成されるのに対して、２連用の埋込ボックスＳＢにおいては上下一対のねじ孔２０ａが左右方向に２組設けられているので、これに対応する本体モジュールＭ２の各取付片１０には左右方向に２個ずつボックス用孔１１が形成される。
【００４０】
ここで、２連サイズの本体モジュールＭ２においては、各ボックス用孔１１は、取付片１０を左右方向において前記単位寸法で区分したときの各中心位置、つまり取付片１０を左右方向に１：３に分ける位置と３：１に分ける位置とのそれぞれに中心を有する。一方、１連サイズの本体モジュールＭ１においては左右方向の寸法が、２連サイズの本体モジュールＭ２の１／２である。すなわち、２連サイズの本体モジュールＭ２におけるボックス用孔１１の間には、１連サイズの本体モジュールＭ１が収まるだけのスペースがなく、したがって、１連サイズの本体モジュールＭ１に形成した一対の係止孔２４と同じ間隔の係止孔２４は、２連サイズの本体モジュールＭの左右方向の中央部には形成することができない。
【００４１】
そのため、本実施形態では、図１および図５に示すように、Ｎ連サイズの本体モジュールＭにおいては、少なくとも１個（ここでは右側）のボックス用孔１１の両側に係止孔２４を形成している。この構成によれば、露出パネルＰと本体モジュールＭとで左右方向の中心線同士がずれることはあるものの、複数種類の本体モジュールＭにおいて一対の係止孔２４の間隔を一律に揃えることができ、露出パネルＰの共用が可能となる。
【００４２】
また、本体モジュールＭにおける取付手段としての鉤片２３および係止孔２４と、モジュール側コネクタ４（図５では図示を省略する）との位置関係は、前記複数種類の本体モジュールＭで共通としてある。そして、露出パネルＰは取付手段としての引掛片２５および係止爪２６と、パネル側コネクタ５とを、本体モジュールＭにおける取付手段としての鉤片２３および係止孔２４と、モジュール側コネクタ４との位置に合わせて配置してある。
【００４３】
上記構成により、共通の露出パネルＰを複数種類の本体モジュールＭに装着可能となり、各種の本体モジュールＭごとに各別の露出パネルＰを用意する必要はなく、したがって、露出パネルＰの開発、製造にかかるコストを低コストに抑えることができるという利点がある。
【００４４】
なお、上記実施形態では、相手側装置との間で通信可能となるインターホン親機としての情報装置Ａに本発明を適用する例を示したが、この例に限るものではなく、たとえば太陽光発電の発電量等の情報を監視して表示する装置など、種々の情報装置に本発明を適用することができる。
【図面の簡単な説明】
【００４５】
【図１】本発明の実施形態の構成を示し、（ａ）は前面側から見た斜視図、（ｂ）は背面側から見た斜視図である。
【図２】同上の構成を示し、（ａ）はプレートカバーを装着した状態の斜視図、（ｂ）はプレートカバーを外した状態の斜視図である。
【図３】同上の構成を示す概略ブロック図である。
【図４】同上の要部を示す断面図である。
【図５】同上の本体モジュールを示す正面図である。
【符号の説明】
【００４６】
３  器体
４  モジュール側コネクタ
５  パネル側コネクタ
１０  取付片
１１  ボックス用孔
２４  係止孔
２６  係止爪
３９  電源回路
Ａ  情報装置
Ｈ１  施工孔
Ｍ，Ｍ１，Ｍ２  本体モジュール
Ｐ  露出パネル
ＳＢ  埋込ボックス
【図１】
0004835567.tif 000002
【図２】
0004835567.tif 000003
【図３】
0004835567.tif 000004
【図４】
0004835567.tif 000005
【図５】
0004835567.tif 000006